(57)【要約】      （修正有）【課題】書見台に書籍を見開き状態で載置した時、書籍の綴じ代が破断したり背の部分が損傷を受ける問題を解決する。【解決手段】書籍を見開き状態で載置する書見台に、左右両見開き部を支持する支持板を備え、両見開き部に、外方が上方へ向かう傾斜角を与えて綴じ代の破断を抑制・防止し、更に書籍の製本状態・使用状態に合わせて両見開き部の見開き角度を調整する。  また両支持板の間に書籍の背部分を落とし込む凹部を作り、書籍の背部分の損傷を抑制・防止し、更に書籍の厚さに応じて落とし込み部の幅を調整する構成としたことを特徴とした書見台。。【選択図】図１A
2011251520.tif 000002
【特許請求の範囲】
【請求項１】
書籍の左右の見開き部を支持する左見開き部支持板と右見開き部支持板と、
前記両支持板各々の外方部を下方から支持する左見開き部支持板角度調整材と右見開き部支持板角度調整材とを備え、
更に前記両支持板の両内端部を中心線の左右で、更に前記両角度調整材を両外方部で支持するベースボードを備え、
前記両見開き部支持板の外方部下面に、前記両角度調整材上部を係合するための複数の係合部より成る係合部Ａを設け、
前記両角度調整材が、各々の上部を前記係合部Ａの複数の係合部の一つに係合されて前記ベースボードの左右外方部に配置されることにより、
前記両支持板が、外方が上方に向かう傾斜角を有し、
前記ベースボードの中心線の左右に、前記両支持板が該両支持板の内端部を軸として回動可に支持され且つ該支持位置の外方または内方への変更を可とするための支持部Ｂを設け、
前記両角度調整材の配置位置を前記ベースボードの内方または外方へ変更し、該角度調整材上部と前記係合部Ａの複数の係合部の一つとの係合位置を該係合部Ａの内方または外方の他の係合部に変更することにより、
前記両支持部Ｂと前記両角度調整材に支持された前記両支持板の、両内端部を軸とする前記傾斜角を可変とする構造を有し、
更に、前記支持部Ｂに於ける前記両支持板内端部の支持位置を外方または内方へ変更することによって、該両見開き部支持板の間隔を可変としたことを特徴とする書見台。
【請求項２】
上記両見開き部支持板の外方部下面に、上記両角度調整材上部を係合するための上記書籍の縦方向に平行する複数の凹部より成る係合部Ａを設け、前記両角度調整材上部の長手方向を前記縦方向と平行としたことを特徴とする第一の発明記載の書見台。
【請求項３】
上記ベースボードの中心線の左右に、上記両支持板が、該支持板の内端部を軸として回動可に支持され且つ該支持位置の外方または内方への変更を可とするための上記書籍の縦方向に平行する複数の凹部より成る支持部Ｂ１を設け、
更に上記両支持板の両内端部の下部に前記支持部Ｂ１の縦方向凹部に平行する凸部を設け、
該両凸部が前記両支持部Ｂ１の複数の凹部の一つに各々係合され、前記両凸部を軸として前記両支持板が回動可に支持され、
更に前記両支持板両内端部の両凸部と前記両係合部Ｂ１の両凹部との両係合位置を、前記支持部Ｂ１の他の凹部の一つに変更することにより、前記両支持板の内方または外方への移動を可としたことを特徴とする請求項１記載の、または請求項２記載の書見台。
【請求項４】
上記ベースボードの中心線の左右に、上記書籍の横方向と平行する単数または複数の移動溝より成る支持部Ｂ２を設け、
更に上記両支持板内端部各々の回動部として回動軸と２片の丁番片を有する単数または複数の左右一対の丁番を備え、
該２片の丁番片の一方を前記両支持板の内端部の下面に各々接続し、他方の丁番片各々に凸部を設け、
該凸部各々を前記移動溝に挿入することにより前記両支持板各々が、前記回動部の横方向移動を可に且つ該回動部を軸として回動可に前記支持部Ｂ２に係合して支持されることを特徴とする請求項１記載の、または請求項２記載の書見台。
【請求項５】
上記ベースボードの両外方部に上記書籍の横方向と平行する単数または複数の移動溝より成る係合部Ｃを設け、
更に上記両角度調整材各々の底部に単数または複数の凸部を設け、
該凸部を前記係合部Ｃの移動溝に各々挿入して係合させることにより、前記両角度調整材の横方向移動を可としたことを特徴とする請求項１記載の、または請求項２記載の、または請求項３記載の、または請求項４記載の書見台。
【請求項６】
上記ベースボードに仰角を与え、該仰角に起因する上記書籍・両支持板・両角度調整材の縦ずれを防止する縦ずれ防止材を前記ベースボード下辺に付設したことを特徴とする請求項１記載の、または請求項２記載の、または請求項３記載の、または請求項４記載の、または請求項５記載の書見台。
【発明の詳細な説明】
【技術分野】
【０００１】  本発明は載置された書籍の綴じ代の破断や背部分の損傷を抑制・防止する書見台に関するものである。
【背景技術】
【０００２】  従来の書見台には特許文献１及び２に示されるように、書籍を載置する載置板の中央部を低くし、左右を高くして書籍の左右見開き部に一定の傾斜角を与え、更に載置板の中央部に書籍の背を落とし込むための凹部を設けたものがあるが、これらはその傾斜角を調整したり凹部の幅を書籍の厚さに応じて調整するという機能は有していない。
【先行技術文献】
【特許文献】
【０００３】
【特許文献１】登録第３１１４３３５号  登録実用新案公報
【０００４】
【特許文献２】登録第３１２７８４２号  登録実用新案公報
【発明の概要】
【発明が解決しようとする課題】
【０００５】  書籍は使用頻度、経年変化、また長年にわたる読書によって綴じ代や背の部分が剥がれたり損傷を受けたりする。年代物の古書等の貴重書はその傾向が強い。
特に古書の場合は製本技術が未発達な時代に製本されたため製本状態が悪く、平板な机や書見台に載置して平らに開かれた状態におかれた時は、綴じ代が剥がれたり背の部分が損傷を受けやすい。
本発明は上記のような書籍の綴じ代の破断や背部分の損傷を抑制・防止しようとするものである。
【課題を解決するための手段】
【０００６】  上記課題を解決する第一の発明として、書籍の左右の見開き部を支持する左見開き部支持板と右見開き部支持板と、
前記両支持板各々の外方部を下方から支持する左見開き部支持板角度調整材と右見開き部支持板角度調整材とを備え、
更に前記両支持板の両内端部を中心線の左右で、更に前記両角度調整材を両外方部で支持するベースボードを備え、
前記両見開き部支持板の外方部下面に、前記両角度調整材上部を係合するための複数の係合部より成る係合部Ａを設け、
前記両角度調整材が、各々の上部を前記係合部Ａの複数の係合部の一つに係合されて前記ベースボードの左右外方部に配置されることにより、
前記両支持板が、外方が上方に向かう傾斜角を有し、
前記ベースボードの中心線の左右に、前記両支持板が該両支持板の内端部を軸として回動可に支持され且つ該支持位置の外方または内方への変更を可とするための支持部Ｂを設け、
前記両角度調整材の配置位置を前記ベースボードの内方または外方へ変更し、該角度調整材上部と前記係合部Ａの複数の係合部の一つとの係合位置を該係合部Ａの内方または外方の他の係合部に変更することにより、
前記両支持部Ｂと前記両角度調整材に支持された前記両支持板の、両内端部を軸とする前記傾斜角を可変とする構造を有し、
更に、前記支持部Ｂに於ける前記両支持板内端部の支持位置を外方または内方へ変更することによって、該両見開き部支持板の間隔を可変としたことを特徴とする書見台を提供する。【０００７】第二の発明として、上記両見開き部支持板の外方部下面に、上記両角度調整材上部を係合するための上記書籍の縦方向に平行する複数の凹部より成る係合部Ａを設け、前記両角度調整材上部の長手方向を前記縦方向と平行としたことを特徴とする第一の発明記載の書見台を提供する。【０００８】第三の発明として、上記ベースボードの中心線の左右に、上記両支持板が、該支持板の内端部を軸として回動可に支持され且つ該支持位置の外方または内方への変更を可とするための上記書籍の縦方向に平行する複数の凹部より成る支持部Ｂ１を設け、
更に上記両支持板の両内端部の下部に前記支持部Ｂ１の縦方向凹部に平行する凸部を設け、
該両凸部が前記両支持部Ｂ１の複数の凹部の一つに各々係合され、前記両凸部を軸として前記両支持板が回動可に支持され、
更に前記両支持板両内端部の両凸部と前記両係合部Ｂ１の両凹部との両係合位置を、前記支持部Ｂ１の他の凹部の一つに変更することにより、前記両支持板の内方または外方への移動を可としたことを特徴とする第一の発明記載の、または第二の発明記載の書見台を提供する。【０００９】第四の発明として、上記ベースボードの中心線の左右に、上記書籍の横方向と平行する単数または複数の移動溝より成る支持部Ｂ２を設け、
更に上記両支持板内端部各々の回動部として回動軸と２片の丁番片を有する単数または複数の左右一対の丁番を備え、
該２片の丁番片の一方を前記両支持板の内端部の下面に各々接続し、他方の丁番片各々に凸部を設け、
該凸部各々を前記移動溝に挿入することにより前記両支持板各々が、前記回動部の横方向移動を可に且つ該回動部を軸として回動可に前記ベースボードに係合して支持されることを特徴とする第一の発明記載の、または第二の発明記載の書見台を提供する。【００１０】第五の発明として、上記ベースボードの両外方部に上記書籍の横方向と平行する単数または複数の移動溝より成る係合部Ｃを設け、
更に上記両角度調整材各々の底部に単数または複数の凸部を設け、
該凸部を前記移動溝に各々挿入して係合させることにより、前記両角度調整材の横方向移動を可としたことを特徴とする第一の発明記載の、または第二の発明記載の、または第三の発明記載の、または第四の発明記載の書見台を提供する。【００１１】第六の発明として、上記ベースボードに仰角を与え、該仰角に起因する上記書籍・両支持板・両角度調整材の縦ずれを防止する縦ずれ防止材を前記ベースボード下辺に付設したことを特徴とする第一の発明記載の、または第二の発明記載の、または第三の発明記載の、または第四の発明記載の、または第五の発明記載の書見台を提供する。
【発明の効果】
【００１２】  第一の発明は、上記のように本発明による書見台に載置された書籍の背部分を軸として左右見開き部に上方への傾斜角を与えて開きすぎを抑制し、書籍の綴じ代の破断を抑制・防止する。
また、書籍の綴じ代の接合状態の良否に応じて書籍の両見開き角度を調整することができる。
更に、書籍の背部分を両支持板の間に生じる間隔に落とし込むことにより、両支持板による書籍の背部分に対する両支持板による下方からの押し上げ圧力を排除し、書籍の背部分の損傷を抑制・防止する。
また、両支持板の内方または外方への移動により書籍の背部分を落とし込む両支持板の間幅を書籍の厚さに応じて調整することができる。
よって書籍の経年変化・使用・保存の状態に起因する書籍の綴じ代や背の損傷度合い、あるいは書籍の厚さに応じてその形態を変化させて使用することができる。【００１３】  第二の発明は、第一の発明の上記両支持板外方部下面に設けられた上記両角度調整材上部との係合部Ａの複数の係合部を上記書籍の縦方向と平行する凹部とし、前記両角度調整材上部についても長手方向が書籍の縦方向と平行の形状とすることにより、両角度調整材を内方または外方へ移動させて前記凹部と係合する時、縦方向同士の凸部と凹部との係合となり位置決めが容易となる。【００１４】  第三の発明は、第二の発明に加えて、両支持板内端部がベースボードの書籍の縦方向と平行する凹部にも係合されて２点での係合となり、両支持板の傾斜角や間隔の変更をする時、両支持板を書籍の縦方向に同調させながらの変更が更に容易となる。【００１５】  第四の発明は、両支持板がベースボードと両角度調整材の双方に係合される点に於いては第二の発明と同様であるが、両支持板とベースボードとの係合方法として丁番を備えているため、両支持板の角度変更が容易となり、
更に両支持板の内方外方への移動が、丁番を含む回動部がベースボード上に設けられた横方向の溝に沿って行われるため、両支持板の横方向の位置変更が更に容易となる。【００１６】  第五の発明は、両角度調整材底部の凸部がベースボードの横方向の溝に係合され、移動溝に沿って移動するため、両角度調整材の位置変更が容易となる。【００１７】  第六の発明はベースボードが仰角を有するため書籍が読みやすくなる。
【図面の簡単な説明】
【００１８】
【図１】（Ａ）本発明の第一、第二実施例に関わる書見台を示す正面図で、書籍の両見開き角度が最大の場合を例示。（Ｂ）同上書見台の正面図で、書籍の両見開き角度が最小の場合を例示。（Ｃ）同上書見台の正面図で、両支持板に間隔がある場合を例示。（Ｄ）本発明の第二実施例に関わる書見台のベースボード下面の平面図で、係合部Ａ（書籍の縦方向に平行の凹部）を例示。（Ｅ）本発明の第一、第二、第三実施例に関わる書見台の角度調整材の斜視図。
【図２】（Ａ）本発明の第三実施例に関わる書見台の正面図で、書籍の両見開き角度が最大の場合と係合部Ｂ１を例示。（Ｂ）同書見台の正面図で両支持板の見開き角度が最小の場合を例示。（Ｃ）同書見台の正面図で、両支持板に間隔がある場合を例示。（Ｄ）同書見台ベースボードの平面図で、支持部Ｂ１複数の縦方向の凹部を例示。
【図３】（Ａ）本発明の第四実施例に関わる書見台の正面断面図で、支持部Ｂ２と両支持板内端部の回動部を例示。（Ｂ）同書見台のベースボード平面図で、支持部Ｂ２を例示。（Ｃ）同書見台の丁番の斜視図を例示。（Ｄ）同書見台のベースボード部分断面図で、支持部Ｂ２の移動溝を例示。
【図４】（Ａ）本発明の第五実施例に関わる書見台の正面断面図で係合部Ｃを例示。（Ｂ）同書見台のベースボード平面図で係合部Ｃを例示。（Ｃ）本発明の第四実施例に関わる書見台の支持部Ｂ２と第五実施例の係合部Ｃを同一ベースボード上に設けた場合を例示した正面断面図。（Ｄ）同書見台の支持部Ｂ２と第五実施例に関わる書見台の係合部Ｃを同一ベースボード上に設けた場合を例示したベースボード平面図。
【図５】（Ａ）本発明の第五実施例に関わる書見台の角度調整材斜視図で底部に凸部を設けた場合を例示した斜視図。（Ｂ）同書見台の角度調整材底部の凸部に膨らみを設けた場合の斜視図。（Ｃ）本発明の第四実施例に関わる書見台の丁番の斜視図で、丁番片の一方の凸部に膨らみを設けた場合を例示。（Ｄ）同書見台の支持部Ｂ２と第五実施例に関わる書見台の係合部Ｃを同一ベースボード上に設けた場合の移動溝ｘ’と移動溝ｙ’を例示したベースボード部分斜視図。
【図６】（Ａ）本発明の第四実施例に関わる書見台の支持部Ｂ２と第五実施例に関わる書見台の係合部Ｃを同一ベースボード上に設け、移動溝ｘと移動溝ｙを連結した場合を例示した正面断面図。（Ｂ）本発明の第四実施例に関わる書見台の支持部Ｂ２と第五実施例に関わる書見台の係合部Ｃを同一ベースボード上に設け、更に移動溝ｘと移動溝ｙを連結した場合例示したベースボードの平面図。
【図７】（Ａ）本発明の第一実施例に関わる書見台に載置された書籍の両見開き部に段差が生じた場合を例示した正面図。（Ｂ）同書見台に載置された書籍の両見開き部両端の段差が解消された場合を例示した正面図。
【図８】（Ａ）本発明の第一乃至第六実施例に関わる書見台の支持板と角度調整材の正面部分拡大図。（Ｂ）同書見台の支持板と内方に向けた凸部を有した角度調整材上部の正面部分拡大図。（Ｃ）同書見台の支持板と外方面が垂直に近い場合の角度調整材の部分拡大図。（Ｄ）同書見台の支持板と外方面の傾斜角が緩やかな場合の角度調整材の部分拡大図。
【図９】（Ａ）本発明の第一乃至第五実施例に関わる書見台が仰角を有し、ベースボードに滑り止め材を付設した場合を例示した側面図。（Ｂ）同書見台のベースボードに滑り止め材を付設した場合を例示した正面図。（Ｃ）同書見台が既存の書見台に載置された場合を例示した側面図。
【発明を実施するための形態】
【００１９】
【第一実施例・第二実施例】
【００２０】  図１（Ａ）（Ｂ）（Ｃ）は第一実施例に関わる書見台を示し、図１（Ｄ）は第二実施例に関わる書見台の両支持板下面を、図１（Ｅ）は第一乃至第四実施例に関わる書見台の角度調整材を示す。
符号１は書籍１０の左右の見開き部１０ａを支持する左見開き部支持板・右見開き部支持板で、図１に示すように本発明の最下部に位置するベースボード３の中心線Ｃ．Ｌの左右に設けられた支持部Ｂにて両支持板１が両内端部を軸として回動可に、且つベースボード３の外方または内方への移動が可に支持される。
なお支持部Ｂの他実施例については図２、図３に基づいて後述する。
また符号２は上記両支持板１の外方部を支持する左見開き部支持板角度調整材・右見開き部支持板角度調整材で、
図１（Ａ）（Ｂ）（Ｃ）に示すように、両支持板１外方部下面に設けられた係合部Ａの複数の凹部１ａの一つに、両角度調整材上部２ａが各々係合した状態でベースボード３の外方部に載置され、両支持板１に、外方が上方に向かう傾斜角を与えて支持する。
図１（Ｅ）は第一乃至第四実施例に関わる書見台に於いて、ベースボード３に載置される角度調整材２の一例を示す斜視図であり、傾斜角を与えられた両支持板１を安定して支持するため、ベースボード３に載置された時外方に位置する外方面２ｂが、両支持板１の傾斜角とは逆方向の傾斜角を有し裾広がりの形状とする。
図１（Ａ）（Ｂ）に示す通り両角度調整材２を外方または内方へ移動させ、両角度調整材上部２ａと係合部Ａの凹部１ａとの係合位置を他の凹部１ａの一つに変更することにより、両支持板１の両内端部を軸とする傾斜角を変更することができる。
図１（Ａ）は両角度調整材２が最も外方にある状態を示しており、この時両支持板１のベースボード３に対する傾斜角は最も小さい。
図１（Ｂ）は両角度調整材２が最も内方にある状態を示しており、この時両支持板１のベースボードに対する傾斜角は最も大きい。
図１（Ｃ）は両支持板１が各々外方に移動して配置された状態を示しており、両支持板１の間に間隔が生じ、書籍の背１０ｄが該間隔に落とし込まれた状態を示している。
更に支持部Ｂに於ける両支持板１内端部の外方または内方への移動により、両支持板１の前記間隔を変更することができる。
尚、図１（Ｄ）は第二実施例に関わる書見台の両支持板１下面の平面図で、書籍の縦方向に平行する複数の凹部、即ち係合部Ａの一例を示しており、
両角度調整材上部２ａを図４（Ｅ）に例示するように長手方向が書籍１０の縦方向と平行する形状とすることにより、両角度調整材上部２ａと両支持板１下面の凹部１ａ双方が縦方向同士となり両角度調整材上部２ａと係合部Ａとの係合が容易となる。
【００２１】  よって両支持板１に載置された書籍１０の左右の見開き部１０ａを最も適した見開き角度、即ち書籍の綴じ代１０ｂが破断することのない範囲で且つ最大限の見開き角度に調整することができる。
また両支持板１の上記間隔に書籍の背１０ｄを落とし込むことにより、書籍１０が、前記間隔のない両支持板１に載置された時に生ずる書籍の背１０ｄに加わる下方からの圧力を解消することができ、書籍の背１０ｄの損傷を抑制・防止することができる。
また両支持板１の外方へ、または内方への移動によって書籍１０の厚さに応じた書籍の背１０ｄの落とし込み部、即ち両支持板１の間隔を形成することができる。
【第三実施例】
【００２２】  図２は第三実施例に関わる書見台を示し、符号Ｂ１は、ベースボード３中心線Ｃ．Ｌの左右に設けられた両支持板１内端部を支持する上記支持部Ｂの一例であり、書籍１０の縦方向に平行する複数の凹部３ａより成り、両支持板１の両内端部に設けられた書籍の縦方向に平行する凸部１ｂ各々が支持部Ｂ１の複数の凹部３ａの一つに係合されることにより、両支持板１が前記凸部１ｂを軸として回動可に係合して支持される。
図２（Ａ）は両角度調整材２が最も外方にある状態を示しており、この時両支持板１のベースボード３に対する傾斜角は最も小さい。
図２（Ｂ）は両角度調整材２が最も内方にある状態を示しており、この時両支持板１のベースボードに対する傾斜角は最も大きい。
図２（Ｃ）は両支持板１が各々外方に移動して配置された状態を示しており、両支持板１の間に間隔が生じ、該間隔に書籍の背１０ｄが落とし込まれた状態を示しており、
支持部Ｂ１に於ける両支持板１内端部の外方へ、または内方への移動によって両支持板１の間隔を書籍１０の厚さに応じた幅に調整することができる。
図２（Ｄ）はベースボード３に設けられた前記支持部Ｂ１を示す平面図である。
尚第三実施例に関わる書見台に於いて係合部Ａが果たす機能に関しては第一、第二実施例に関わる書見台の係合部Ａと同様である。
【第四実施例】
【００２３】  図３、図５（Ｃ）（Ｄ）は第四実施例に関わる書見台、またはその一部を示し、符号Ｂ２は、ベースボード３の中心線Ｃ．Ｌの左右に設けられ両支持板１内端部を支持する支持部Ｂの一例であり、
図３（Ａ）（Ｃ）に示すように、両支持板１の回動部として、回動軸４ａと２片の丁番片４ｂ・４ｃを有する単数または複数の一対の丁番４を備え、該一対の丁番片４ｂ、４ｃの一方４ｂを両支持板１内端部の下面に各々接合し、他方の丁番片４ｃに凸部４ｄを設け、
更に図３（Ａ）（Ｂ）（Ｄ）に示すように、前記丁番片４ｃに設けられた凸部４ｄがベースボード３の中心線Ｃ．Ｌの左右に設けられた一対の単数または複数の書籍の横方向と平行する移動溝ｘより成る係合部Ｂ２に各々挿入されることにより、両支持板１が前記係合部Ｂ２に、前記回動軸４ａを軸として回動可に係合され支持される。
図示は省略するが、第一実施例に関わる書見台で述べた両支持板１と両角度調整材との関係と同様に、両角度調整材２が最も外方にある時両支持板１のベースボードに対する傾斜角度は最小となり、最も内方にある時最大となる。
また、一対の丁番片４ｂ、４ｃの一方４ｃに設けられた凸部４ｄを係合部Ｂ２の移動溝ｘ内を外方へ横方向移動させることにより前記両支持板１各々が外方へ移動し、両支持板１の間に間隔が生じ、書籍の背４ｄの落とし込み部となり、
更に、前記凸部４ｄの外方または内方への移動により前記書籍の背１０ｄ落とし込み部を、即ち前記両支持板１の間隔を書籍１０の厚さに応じた幅に調整することができる。
尚、第四実施例に関わる書見台に於ける係合部Ａが果たす機能に関しては第一、第二実施例に関わる書見台に於ける係合部Ａと同様である。
【第五実施例】
【００２４】  図４（Ａ）（Ｂ）は第五実施例に関わる書見台を、また図５（Ａ）は角度調整材の一例を示す。
符号Ｃは両角度調整材２とベースボード３との係合部Ｃを表し、上記ベースボード３の外方部に設けられた一対の単数または複数の書籍の横方向と平行する移動溝ｙより成り、図５（Ａ）に示す通り両角度調整材底部２ｃに設けられた一対の単数または複数の凸部２ｄを、図４（Ａ）（Ｂ）に示す通り、移動溝ｙに各々挿入して、両角度調整材２を横方向移動させ、両角度調整材上部２ａの両支持板１下面の凹部１ａとの係合位置を他の凹部１ａの一つに変更することによって両支持板１の傾斜角が変化する。
また係合部Ｃを設けたことによって、両角度調整材２が単にベースボード３に載置された場合よりもベースボード３との係合度合いが強く、両角度調整材上部２ａを両支持板１下面の凹部１ａのいずれかと係合させるための横方向移動が容易となる。
【第四実施例・第五実施例】
【００２５】  図４（Ｃ）（Ｄ）は第四実施例に関わる書見台於ける支持部Ｂ２と第五実施例に関わる書見台に於ける係合部Ｃの双方がベースボード３に設けられた場合の例示である。
また図５（Ｂ）に於ける２ｄ’は第五実施例に関わる書見台の両角度調整材底部２ｃに設けられた凸部２ｄの下部に膨らみを持たせた場合の例示であり、
また図５（Ｃ）に於ける４ｄ’は、第四実施例に関わる書見台に於ける丁番４の一方の丁番片４ｃに設けられた凸部４ｄの下部に膨らみを持たせた場合の例示であり、
また図５（Ｄ）は第四実施例に関わる書見台の移動溝ｘ及び第五実施例に関わる書見台の移動溝ｙの下部に前記両膨らみを有した凸部４ｄ’、２ｄ’に対応したへこみを設けた場合のベースボード３の側面部分の斜視図であり、
両角度調整材２の膨らみを有した凸部２ｄ’が係合部Ｃの移動溝ｙ’に、
また丁番４の膨らみを有した凸部４ｄ’が支持部Ｂ２の移動溝ｘ’に挿入されることにより、係合部Ｃと両角度調整材２との、また支持部Ｂ２と両支持板１回動部との係合度合いを強めることができる。
但し両角度調整材２の膨らみを有した凸部２ｄ’を、また丁番片４ｃの膨らみを有した凸部４ｄ’各々を移動溝ｙ’、ｘ’に挿入するため、図５（Ｄ）では移動溝ｙ’、ｘ’がベースボード３の一方の端または両端まで達する移動溝とした状態を示している。
更に図６は前記移動溝ｙ’、ｘ’を書籍の横方向と平行する同一線上に設けて一本化した場合を例示したものである。
【第六実施例】
【００２６】  図９（Ａ）（Ｂ）は第六実施例に関わる書見台を示し、図９（Ａ）は書籍１０を読みやすくするため、本発明に於ける書見台のベースボード３に仰角を与える傾斜台３ｃをベースボード３の下部に付設した例を示した側面図である。
但し、ベースボード３が仰角を有する場合、両角度調整材２・両支持板１・書籍１０が、或いはそれらのいずれかが縦ずれする可能性があり、前記縦ずれを防止するため、ベースボード３の下辺に縦ずれ防止材３ｂを付設した例を図９（Ａ）の側面図、及び図９（Ｂ）の正面図にて示した。
【第一乃至第六実施例】
【００２７】  図７は、第一乃至第六実施例に関わる書見台を示し、分厚い書籍１０を上記両見開き部支持板１に載置し、両見開き部１０ａの最初の頁または最後の頁、或いは最初に近い頁または最後に近い頁を開いた場合、図７（Ａ）に示すように書籍１０の両見開き部１０ａの厚さの差によって両見開き部１０ａの表面ページに段差が生じる場合がある。
前記段差が生じた場合、図７（Ｂ）に示すように、薄い見開き部１０ａ側の角度調整材２を内方へ、または厚い見開き部１０ａ側の角度調整材２を外方へ移動させることによって、両見開き部１０ａ両外端の段差を解消することができる。
【００２８】  図８は第一乃至第六実施例に関わる書見台の支持板１と角度調整材の一部を示し、図８（Ｂ）は、両角度調整材上部２ａと係合部Ａの複数の凹部との係合度合いをより強めるため、傾斜角を有する両支持板１の内方に向けた凸部を有した角度調整材上部２ａ’を例示したものである。
【００２９】  また図８（Ｃ）に示す通り、本発明が両支持板１のベースボードに対する傾斜角が比較的緩やかな状態で使用される場合、両角度調整材外方面２ｂの傾斜角が垂直に近い状態であっても、即ち裾広がりの部分が小さくとも両支持板１を安定して支持することができる。
しかし、本発明が両支持板１のベースボードに対する傾斜角を大きくした状態で使用される場合、即ち綴じ代が破断する危険性があるため両見開き部１０ａを大きく開けない書籍１０を主な対象とする場合には、図８（Ｄ）に示す通り両角度調整材外方面２ｂのベースボード３に対する傾斜角を緩やかにし、即ち裾広がりの部分を大きくすることによって両支持板１を安定して支持することができる。
【００３０】  図９（Ｃ）は既存の書見台２０に本発明による書見台を載置した場合を例示した場合の側面図である。
【符号の説明】
【００３１】１    左見開き部支持板・右見開き部支持板
１ａ      左見開き部支持板・右見開き部支持板の下面の係合部Ａの凹部
１ｂ      左見開き部支持板・右見開き部支持板の内端部凸部
２    左見開き部支持板角度調整材・右見開き部支持板角度調整材
２ａ      左見開き部角度調整材・右見開き部角度調整材の上部
２ａ’    凸部を有した左見開き部角度調整材上部・凸部を有した右見開き部角度調整材上部
２ｂ      左見開き部角度調整材外方面・右見開き部角度調整材外方面
２ｃ      左見開き部角度調整材底部・右見開き部角度調整材底部
２ｄ      左見開き部角度調整材底部凸部・右見開き部角度調整材底部凸部
２ｄ’    膨らみを有した左見開き部角度調整材底部凸部・膨らみを有した右見開き部角度調整材底部凸部
３    ベースボード
３ａ      支持部Ｂ１凹部
３ｂ      ベースボード縦ずれ防止材
３ｃ      ベースボード下部傾斜台
４    丁番
４ａ      回動軸
４ｂ      丁番片（支持板側）
４ｃ      丁番片（ベースボード側）
４ｄ      丁番片凸部
４ｄ’    膨らみを有した丁番片凸部
１０  書籍
１０ａ    書籍右見開き部・書籍左見開き部
１０ｂ    書籍右見開き部表紙・書籍左見開き部表紙
１０ｃ    書籍の綴じ代
１０ｄ    書籍の背
Ａ    係合部Ａ
Ｂ    支持部Ｂ
Ｂ１      支持部Ｂ１（縦方向凹部）
Ｂ２      支持部Ｂ２（横方向移動溝）
Ｃ    係合部Ｃ（横方向移動溝）
Ｃ．Ｌ    ベースボード中心線
ｘ    支持部Ｂ２の横方向移動溝
ｘ’      支持部Ｂ２のへこみを有した横方向移動溝
ｙ    係合部Ｃの横方向移動溝
ｙ’      係合部Ｃのへこみを有した横方向移動溝
【図１Ａ】
2011251520.tif 000003
【図１Ｂ】
2011251520.tif 000004
【図２】
2011251520.tif 000005
【図３】
2011251520.tif 000006
【図４】
2011251520.tif 000007
【図５】
2011251520.tif 000008
【図６】
2011251520.tif 000009
【図７】
2011251520.tif 000010
【図８】
2011251520.tif 000011
【図９】
2011251520.tif 000012
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
書籍の左右の見開き部を支持する左見開き部支持板と右見開き部支持板と、
前記両支持板各々の外方部を下方から支持する左見開き部支持板角度調整材と右見開き部支持板角度調整材とを備え、
更に前記両支持板の両内端部を中心線の左右で、更に前記両角度調整材を両外方部で支持するベースボードを備え、
前記両見開き部支持板の外方部下面に、前記両角度調整材上部を係合するための複数の係合部より成る係合部Ａを設け、
前記両角度調整材が、各々の上部を前記係合部Ａの複数の係合部の一つに係合されて前記ベースボードの左右外方部に配置されることにより、
前記両支持板が、外方が上方に向かう傾斜角を有し、
前記ベースボードの中心線の左右に、前記両支持板が該両支持板の内端部を軸として回動可に支持され且つ該支持位置の外方または内方への変更を可とするための支持部Ｂを設け、
前記両角度調整材の配置位置を前記ベースボードの内方または外方へ変更し、該角度調整材上部と前記係合部Ａの複数の係合部の一つとの係合位置を該係合部Ａの内方または外方の他の係合部に変更することにより、
前記両支持部Ｂと前記両角度調整材に支持された前記両支持板の、両内端部を軸とする前記傾斜角を可変とする構造を有し、
更に、前記支持部Ｂに於ける前記両支持板内端部の支持位置を外方または内方へ変更することによって、該両見開き部支持板の間隔を可変としたことを特徴とする書見台。
【請求項２】
上記両見開き部支持板の外方部下面に、上記両角度調整材上部を係合するための上記書籍の縦方向に平行する複数の凹部より成る係合部Ａを設け、前記両角度調整材上部の長手方向を前記縦方向と平行としたことを特徴とする請求項１記載の書見台。
【請求項３】
上記ベースボードの中心線の左右に、上記両支持板が、該支持板の内端部を軸として回動可に支持され且つ該支持位置の外方または内方への変更を可とするための上記書籍の縦方向に平行する複数の凹部より成る支持部Ｂ１を設け、
更に上記両支持板の両内端部の下部に前記支持部Ｂ１の縦方向凹部に平行する凸部を設け、
該両凸部が前記両支持部Ｂ１の複数の凹部の一つに各々係合され、前記両凸部を軸として前記両支持板が回動可に支持され、
更に前記両支持板両内端部の両凸部と前記両係合部Ｂ１の両凹部との両係合位置を、前記支持部Ｂ１の他の凹部の一つに変更することにより、前記両支持板の内方または外方への移動を可としたことを特徴とする請求項１記載の、または請求項２記載の書見台。
【請求項４】
上記ベースボードの中心線の左右に、上記書籍の横方向と平行する単数または複数の移動溝より成る支持部Ｂ２を設け、
更に上記両支持板内端部各々の回動部として回動軸と２片の丁番片を有する単数または複数の左右一対の丁番を備え、
該２片の丁番片の一方を前記両支持板の内端部の下面に各々接続し、他方の丁番片各々に凸部を設け、
該凸部各々を前記移動溝に挿入することにより前記両支持板各々が、前記回動部の横方向移動を可に且つ該回動部を軸として回動可に前記支持部Ｂ２に係合して支持されることを特徴とする請求項１記載の、または請求項２記載の書見台。
【請求項５】
上記ベースボードの両外方部に上記書籍の横方向と平行する単数または複数の移動溝より成る係合部Ｃを設け、
更に上記両角度調整材各々の底部に単数または複数の凸部を設け、
該凸部を前記係合部Ｃの移動溝に各々挿入して係合させることにより、前記両角度調整材の横方向移動を可としたことを特徴とする請求項１記載の、または請求項２記載の、または請求項３記載の、または請求項４記載の書見台。
【請求項６】
上記ベースボードに仰角を与え、該仰角に起因する上記書籍・両支持板・両角度調整材の縦ずれを防止する縦ずれ防止材を前記ベースボード下辺に付設したことを特徴とする請求項１記載の、または請求項２記載の、または請求項３記載の、または請求項４記載の、または請求項５記載の書見台。